(57)【要約】【課題】血糖値を測定した後、センサーチップに手を触れることなく、簡単、迅速、且つ確実に前記簡易血糖測定器から排出して除去する。【解決手段】測定極５と電極端子６を備えたセンサーチップ３を、センサーチップ挿入口２から挿入して血糖値を測定する簡易血糖測定器１の外周縁部に装着固定する装着体１１の、前記センサーチップ挿入口２に対面する位置に、センサーチップ３の着脱装置１２が一体に固定して形成され、前記着脱装置１２は、センサーチップ３の差込み口１３を基部壁面１４に開口すると共に、該差込み口１３の前方側上面に、凹欠部１５を凹設すると共に、該凹欠部１５に回転ローラー１６を装置して、センサーチップ３を前記回転ローラー１６を回転させることにより、排出して除去する。【選択図】図３
2007024658.tif 000002
【特許請求の範囲】
【請求項１】
測定極と電極端子を備えたセンサーチップを、センサーチップ挿入口から挿入して血糖値を測定する簡易血糖測定器において、該簡易血糖測定器の外周縁部に装着固定する装着体の、前記センサーチップ挿入口に対面する位置に、センサーチップの着脱装置が一体に固定して形成され、
前記着脱装置は、センサーチップの差込み口を基部壁面に開口すると共に、該差込み口の前方側上面に、凹欠部を凹設すると共に、該凹欠部の両内側壁面に回転ローラーの左右のローラー軸をそれぞれ挿入する挿入凹部が軸方向に凹設して形成され、且つ、前記差込み口の前方側下面にガイド面を備える一方、
前記凹欠部の両内側壁面に設けられた挿入凹部に回転ローラーの左右のローラー軸をそれぞれ挿入して、該回転ローラーが前記ガイド面と前記挿入凹部の上方段部間の高さ分だけ上下に移動可能に配置され、更に、前記回転ローラーの外周面部には１個または複数個のゴム輪を装着したことを特徴とする簡易血糖測定器におけるセンサーチップの除去装置。
【請求項２】
測定極と電極端子を備えたセンサーチップを、センサーチップ挿入口から挿入して血糖値を測定する簡易血糖測定器において、該簡易血糖測定器の外周縁部に装着固定する装着体の、前記センサーチップ挿入口に対面する位置に、センサーチップの着脱装置が一体に固定して形成され、
前記着脱装置は、センサーチップの差込み口を基部壁面に開口すると共に、該差込み口の前方側上面に、凹欠部を凹設すると共に、該凹欠部の両内側壁面に回転ローラーの左右のローラー軸をそれぞれ挿入する挿入凹部が軸方向に凹設して形成され、且つ前記差込み口の前方側下面にガイド面を備える一方、
前記回転ローラーの下面のガイド面の軸方向に凹部を設けて、該凹部にガイドローラーを回転自在に軸支し、
前記凹欠部の両内側壁面に設けられた挿入凹部に回転ローラーの左右のローラー軸をそれぞれ挿入して、該回転ローラーが前記ガイド面と前記挿入凹部の上方段部間の高さ分だけ上下に移動可能に配置され、更に、前記回転ローラーの外周面部には１個または複数個のゴム輪を装着したことを特徴とする簡易血糖測定器におけるセンサーチップの除去装置。
【請求項３】
測定極と電極端子を備えたセンサーチップを、センサーチップ挿入口から挿入して血糖値を測定する簡易血糖測定器において、該簡易血糖測定器の外周縁部に装着固定する装着体の、前記センサーチップ挿入口に対面する位置に、センサーチップの着脱装置が一体に固定して形成され、
前記着脱装置は、センサーチップの差込み口を基部壁面に開口すると共に、該差込み口の前方側上面に、凹欠部を凹設すると共に、該凹欠部の両内側壁面に回転ローラーの左右のローラー軸をそれぞれ回転自在に軸支し、且つ、前記差込み口の前方側下面にガイド面を備える一方、
前記回転ローラーの外周面部には１個または複数個のゴム輪を装着したことを特徴とする簡易血糖測定器におけるセンサーチップの除去装置。
【請求項４】
測定極と電極端子を備えたセンサーチップを、センサーチップ挿入口から挿入して血糖値を測定する簡易血糖測定器において、該簡易血糖測定器の外周縁部に装着固定する装着体の、前記センサーチップ挿入口に対面する位置に、センサーチップの着脱装置が一体に固定して形成され、
前記着脱装置は、センサーチップの差込み口を基部壁面に開口すると共に、該差込み口の前方側上面に、凹欠部を凹設すると共に、該凹欠部の両内側壁面に回転ローラーの左右のローラー軸をそれぞれ回転自在に軸支し、且つ、前記差込み口の前方側下面にガイド面を備える一方、
前記回転ローラーの下面のガイド面の軸方向に凹部を設けて、該凹部にガイドローラーを回転自在に軸支し、更に、前記回転ローラーの外周面部には１個または複数個のゴム輪を装着したことを特徴とする簡易血糖測定器におけるセンサーチップの除去装置。
【発明の詳細な説明】
【技術分野】
【０００１】
本発明は、簡易血糖測定器に挿入したセンサーチップに採血した血液を点着して、血糖値を測定した後、該センサーチップに手を触れることなく、簡単、迅速、且つ確実に、前記センサーチップを簡易血糖測定器から排出して除去することができる簡易血糖測定器におけるセンサーチップの除去装置に関するものである。
【背景技術】
【０００２】
従来、血糖値を簡易に測定できる簡易血糖測定器は、多くの種類のものが、各メーカーによって販売されている。そして、前記簡易血糖測定器を用いて血糖値を測定する際に使用するセンサーも、種々多くのタイプのものがあり、ポリエチレン樹脂等の長方形状シートより成るセンサーチップが多く使用されている。そして、簡易血糖測定器から血糖値測定後のセンサーチップを手を触れずに排出して除去するという構成を有する過去の特許文献を遡及検索すると、１件も開示されておらず、単に、センサーチップに関するものとして、下記特許文献１に開示されたものが公知である。
【０００３】
【特許文献１】特開平８−９４５７１号公報
【発明の開示】
【発明が解決しようとする課題】
【０００４】
前記従来の簡易血糖測定器においては、該簡易血糖測定器に挿入したセンサーチップの基端部の測定極に、採血した血液を点着して、前記測定極で得られる反応電流を前記センサーチップの先端部の電極端子から、前記簡易血糖測定器の測定部へ送出して血糖値を測定して、該血糖値を表示部にデジタル表示し、そして、血糖値を測定した後のセンサーチップを指で挟んで、前記簡易血糖測定器から取出して除去していたので、多数の患者がいる病院では、手間がかかるという課題があった。また、患者の血液が看護士等、病院の従業員に付着するとエイズ等の重篤な病気に感染する虞れがあり、非常に危険で、且つ非衛生的であるという課題があった。
【０００５】
更に、前記特許文献１に記載されたものは、血糖値等を測定する小型簡易センサに関するものであるが、血糖値等の測定をした後、チップに手を触れずに前記簡易センサから排出して除去するという構成についてはまったく開示されていない。
【０００６】
本発明は、前記課題を解決すべくなされたもので、血糖値を測定した後のセンサーチップに手を触れることなく、該センサーチップを簡単、迅速、且つ確実に簡易血糖測定器から排出して除去することができる簡易血糖測定器におけるセンサーチップの除去装置を提供しようとするものである。
【課題を解決するための手段】
【０００７】
本発明は、測定極と電極端子を備えたセンサーチップを、センサーチップ挿入口から挿入して血糖値を測定する簡易血糖測定器の外周縁部に装着固定する装着体の、前記センサーチップ挿入口に対面する位置に、センサーチップの着脱装置が一体に固定して形成され、
前記着脱装置は、センサーチップの差込み口を基部壁面に開口すると共に、該差込み口の前方側上面に、凹欠部を凹設すると共に、該凹欠部に回転ローラーを装置して、センサーチップを前記回転ローラーを回転させることにより、排出して除去するようにするという手段を採用することにより、上記課題を解決した。
【発明の効果】
【０００８】
本発明簡易血糖測定器におけるセンサーチップの除去装置によれば、簡易血糖測定器に挿入したセンサーチップの基端部の測定極に、採血した血液を点着して、前記測定極で得られる反応電流を前記センサーチップの先端部の電極端子から、前記簡易血糖測定器の測定部へ送出して血糖値を測定して表示部に表示し、そして、血糖値を測定した後のセンサーチップを、単に、手で回転ローラーを時計方向へ回転させるのみで、該センサーチップに手を触れることなく、極めて簡単、迅速、且つ確実に排出して除去することができるので、エイズ等の重篤な病気に感染する虞れがなく、極めて衛生的であり、特に患者の多い病院において最適である。
【実施例】
【０００９】
本発明の実施例を図１〜図４に基づいて詳細に説明する。本発明に使用する簡易血糖測定器は、前記したように、種々のタイプのものが市販されているが、本発明においては、説明の便宜上、ジョンソン・エンド・ジョンソン株式会社が商標名「ワンタッチウルトラ」として販売している「簡易血糖測定器」、および、商標名「クイックセンサー」として販売している「センサーチップ」を例に挙げて説明する。
【００１０】
簡易血糖測定器１は、その上端縁部に開口されたセンサーチップ挿入口２からセンサーチップ３を挿入して血糖値を測定すると、測定値が表示部４にデジタル表示されるようになっている。
【００１１】
一方、前記センサーチップ３は、ポリエチレン樹脂により長方形シート状に形成され、基端部に血液を点着する測定極５を、また、先端部に簡易血糖測定器１の測定部に接続して血糖値を測定する電極端子６をそれぞれ備えている。
【００１２】
そして、前記センサーチップ３を簡易血糖測定器１のセンサーチップ挿入口２にセンサーチップ３の先端部側から挿入して、該センサーチップ３を前記簡易血糖測定器１にセットする。然る後、採血した血液を前記センサーチップ３の測定極５に点着することにより、前記測定極５で得られる反応電流を先端部の電極端子６から、前記簡易血糖測定器１の測定部へ送出して血糖値を測定し、該測定された血糖値が表示部４にデジタル表示されて、血糖値の測定が完了する。
【００１３】
前記血糖値の測定が完了すると、前記従来の簡易血糖測定器１においては、前記センサーチップ３を指で挟んでセンサーチップ挿入口２より排出して除去するよう構成されているが、本発明は前記測定完了後のセンサーチップ３を手で触れることなく、簡易血糖測定器１から排出して除去するようにしたものである。
【００１４】
すなわち、本発明は、前記従来使用されている簡易血糖測定器１の外周縁部に装着固定して、該簡易血糖測定器１の操作に支障を来たさないように、少なくとも上方に開口部１１ａを備えた装着体１１の、前記センサーチップ挿入口２に対面する位置に、センサーチップ３の着脱装置１２を一体に固定して形成されている。
【００１５】
前記着脱装置１２は、前記センサーチップ挿入口２に対面するよう差込み口１３を基部壁面１４に開口すると共に、該差込み口１３の前方側上面に、前記差込み口１３から差込まれたセンサーチップ３の上面が露出できるような凹欠部１５を凹設すると共に、該凹欠部１５の両内側壁面に回転ローラー１６の左右のローラー軸１７をそれぞれ挿入することができるような挿入凹部１８を軸方向に凹設して形成されている。また、前記差込み口１３の前方側下面に、前記センサーチップ挿入口２の下部ガイド板２ａと面一となるガイド面１９が前記挿入凹部１８の下面に備えられている。
【００１６】
前記凹欠部１５の両内側壁面に設けられた挿入凹部１８に回転ローラー１６の左右のローラー軸１７をそれぞれ挿入すると、該ローラー軸１７が前記ガイド面１９と前記挿入凹部１８の上方段部１８ａ間の高さ分だけ上下に移動可能に配置され、前記ローラー軸１７の上下移動可能の高さ分だけ前記回転ローラー１６が上下に移動可能となる。
【００１７】
更に、前記回転ローラー１６の外周面部には１個または複数個のゴム輪２０が装着されている（図１〜図４に示す実施例においては、１個のゴム輪が装着固定されている）。また、前記ゴム輪２０には、特に限定する必要はないが、好ましくは、多数の溝２１を刻設することが推奨される。前記ゴム輪２０に多数の溝２１を刻設することにより、該ゴム輪２０をセンサーチップ３上面に接触した場合、摩擦係数を大として前記センサーチップ３の排出を容易にする。
【００１８】
前記構成より成る本発明の作用について説明する。前記装着体１１を簡易血糖測定器１の下面から挿入して、該簡易血糖測定器１と一体とする。その後、センサーチップ３を電極端子６を先方側にして、差込み口１３を経て、上下に移動可能な回転ローラー１６とガイド面１９間に差込むと、該回転ローラー１６が上下に移動可能であるため、前記センサーチップ３により押し上げられ、その後該センサーチップ３の電極端子６が、前記簡易血糖測定器１のセンサーチップ挿入口２から挿入される。
【００１９】
然る後、前記簡易血糖測定器１のセンサーチップ挿入口２に挿入されたセンサーチップ３の測定極５に、採血した血液を点着すると、前記電極端子６により、前記簡易血糖測定器１の測定部で血糖値を測定し、表示部４に前記測定した血糖値がデジタル表示される。
【００２０】
前記血糖値の測定の完了後、前記ゴム輪２０を上方より押圧して時計方向に回転させると、前記測定後のセンサーチップ３は、前記ゴム輪２０とガイド面１９間に挟持されて、該ゴム輪２０がセンサーチップ３の上面に圧着して、該センサーチップ３をセンサーチップ挿入口２より排出すると共に、その後差込み口１３からも排出されて、前記簡易血糖測定器１から手で触れることなく除去される。
【００２１】
図５は、本発明簡易血糖測定器におけるセンサーチップの除去装置の他の実施例を示す一部切欠き縦断側面図、図６は同要部の縦断面図である。すなわち、本発明の他の実施例は、前記図１〜図４に示す実施例において、回転ローラー１６の下面のガイド面１９の軸方向に凹部２２を設けると共に、該凹部２２にガイドローラー２３を回転自在に軸支して形成されている。
【００２２】
前記ガイドローラー２３は、好ましくは、図６に示すように、その上面を前記ガイド面１９よりやや低く形成して、該ガイド面１９にセンサーチップ用ガイド溝２４を設けることが推奨される。これにより、センサーチップ３は、前記センサーチップ用ガイド溝２４に沿って挿入・排出される。
【００２３】
図５〜図６に示す他の実施例による簡易血糖測定器におけるセンサーチップの除去装置は、前記図１〜図４に示すものに比して、センサーチップ３が、いずれも回転する回転ローラー１６およびガイドローラー２３間に挟持されているので、センサーチップ３の簡易血糖測定器１のセンサーチップ挿入口２への挿入、および該センサーチップ挿入口２からの取出しがスムーズに行く利点を有する。
【００２４】
図７は、本発明簡易血糖測定器におけるセンサーチップの除去装置の更に他の実施例を示す要部の縦断面図である。すなわち、本発明簡易血糖測定器におけるセンサーチップの除去装置の更に他の実施例は、前記図  １〜図４に示す実施例において、回転ローラー１６の左右のローラー軸１７がそれぞれ凹欠部１５の両内側壁面１５ａ・１５ｂに回転自在なるよう軸支して形成されている。
【００２５】
図７に示す更に他の実施例による本発明簡易血糖測定器におけるセンサーチップの除去装置は、前記図１〜図４に示すものに比して、回転ローラー１６が上下に移動可能となっていない点が異なるのみで、センサーチップ３の簡易血糖測定器１のセンサーチップ挿入口２への挿入、および該センサーチップ挿入口２からの取出し操作の面において、多少劣るだけで、使用上問題はない。
【００２６】
図８は、本発明簡易血糖測定器におけるセンサーチップの除去装置の更にまた他の実施例を示す要部の縦断面図である。すなわち、本発明簡易血糖測定器におけるセンサーチップの除去装置の更にまた他の実施例は、前記図５〜図６に示す他の実施例において、回転ローラー１６の左右のローラー軸１７がそれぞれ凹欠部１５の両内側壁面１５ａ・１５ｂに回転自在なるよう軸支して形成されている。
【００２７】
図８に示す更にまた他の実施例による本発明簡易血糖測定器におけるセンサーチップの除去装置は、前記図５〜図６に示すものに比して、回転ローラー１６が上下に移動可能となっていない点が異なるのみで、センサーチップ３の簡易血糖測定器１のセンサーチップ挿入口２への挿入、および該センサーチップ挿入口２からの取出し操作の面において、多少劣るだけで、使用上問題はない。
【図面の簡単な説明】
【００２８】
【図１】本発明簡易血糖測定器におけるセンサーチップの除去装置の実施例を示す全体の組立分解斜視図である。
【図２】本発明簡易血糖測定器におけるセンサーチップの除去装置からセンサーチップを排出した状態を示す全体の斜視図である。
【図３】本発明簡易血糖測定器におけるセンサーチップの除去装置の実施例を示す一部切欠き縦断面図である。
【図４】本発明簡易血糖測定器におけるセンサーチップの除去装置の実施例を示す要部の縦断面図である。
【図５】本発明簡易血糖測定器におけるセンサーチップの除去装置の他の実施例を示す一部切欠き縦断面図である。
【図６】本発明簡易血糖測定器におけるセンサーチップの除去装置の他の実施例を示す要部の縦断面図である。
【図７】本発明簡易血糖測定器におけるセンサーチップの除去装置の更に他の実施例を示す要部の縦断面図である。
【図８】本発明簡易血糖測定器におけるセンサーチップの除去装置の更にまた他の実施例を示す要部の縦断面図である。
【符号の説明】
【００２９】
１  簡易血糖測定器
２  センサーチップ挿入口
２ａ  下部ガイド板
３  センサーチップ
５  測定極
６  電極端子
１１  装着体
１２  着脱装置
１３  差込み口
１４  基部壁面
１５  凹欠部
１５ａ・１５ｂ  内側壁面
１６  回転ローラー
１７  ローラー軸
１８  挿入凹部
１８ａ  上方段部
１９  ガイド面
２０  ゴム輪
２２  凹部
２３  ガイドローラー
【図１】
2007024658.tif 000003
【図２】
2007024658.tif 000004
【図３】
2007024658.tif 000005
【図４】
2007024658.tif 000006
【図５】
2007024658.tif 000007
【図６】
2007024658.tif 000008
【図７】
2007024658.tif 000009
【図８】
2007024658.tif 000010